(57)【要約】【課題】指針による表示と、指針が指示する数値の表示を同時に認識可能な表示装置を提供する。【解決手段】表示装置１は、筐体１４と、筐体１４に対して回動可能な指針３と、指針３の回転軸３１１Ａ上において指針３より目視側で筐体１４に対して固定され、指針３が指示する数値を表す数値像４１を表示する表示手段４と、回転軸３１１Ａ上において指針３より目視側で回転軸３１１Ａ周りに指針３と同一速度で回動し、指針３の先端側へ指向されて数値像４１の光を先端側へ反射する第１反射面５１と、第１反射面５１からの反射光を、目視側に反射して、数値像４１を虚像６１Ａとして表示させる第２反射面６１とを備える。これにより、指針３の回動に追従して回動する虚像６１Ａとして、数値像４１を表示できるため、指針による表示と、指針が指示する数値の表示を同時に認識可能な表示装置を提供できる。【選択図】図２
2009047549.tif 000002
【特許請求の範囲】
【請求項１】
筐体と、
前記筐体に対して回動可能な指針と、
前記指針の回転軸上において前記指針より目視側で前記筐体に対して固定され、前記指針が指示する数値を表す数値像を表示する表示手段と、
前記回転軸上において前記指針より前記目視側で前記回転軸周りに前記指針と同一速度で回動し、前記指針の先端側へ指向されて前記数値像の光を前記先端側へ反射する第１反射面と、
前記第１反射面からの前記反射光を、前記目視側に反射して、前記数値像を虚像として表示させる第２反射面とを備えることを特徴とする表示装置。
【請求項２】
前記第２反射面は、前記回転軸周りに前記指針と同一速度で回動可能であって、前記第１反射面側へ指向されていることを特徴とする請求項１に記載の表示装置。
【請求項３】
前記表示手段は、前記指針と前記第１反射面の間に配置され、
前記第１反射面と前記第２反射面は、互いに平行な配置関係で配置されていることを特徴とする請求項２に記載の表示装置。
【請求項４】
前記表示手段は、前記第１反射面より目視側に配置され、
前記第１反射面と前記第２反射面は、互いに垂直な配置関係で配置されていることを特徴とする請求項２に記載の表示装置。
【請求項５】
前記第２反射面は、前記筐体に対して固定され、前記回転軸を中心とし、前記指針が回動可能な角度範囲を包含する円弧状であって、前記回転軸側へ指向された帯状の反射面であることを特徴とする請求項１に記載の表示装置。
【請求項６】
前記表示手段は、前記指針と前記第１反射面の間に配置され、
前記指針の中心線と前記回転軸とからなる平面と前記第１反射面とが交差する第１交差線と、前記平面と前記第２反射面とが交差する第２交差線とが、互いに平行な配置関係で配置されていることを特徴とする請求項５に記載の表示装置。
【請求項７】
前記表示手段は、前記第１反射面より目視側に配置され、
前記指針の中心線と前記回転軸とからなる平面と前記第１反射面とが交差する第１交差線と、前記平面と前記第２反射面とが交差する第２交差線とが、互いに垂直な配置関係で配置されていることを特徴とする請求項５に記載の表示装置。
【発明の詳細な説明】
【技術分野】
【０００１】
本発明は、指針による表示と、指針が指示する数値の表示とを行う表示装置に関するものである。
【背景技術】
【０００２】
表示装置は、文字盤の目視側前面を回動する指針によって所望の物理量を表示するいわゆるアナログメータと、所望の物理量を数字で表示するいわゆるデジタルメータに大別できる。アナログメータは、指針の回動速度によって物理量の変動状況を認識することができ、指針の回動位置によって物理量の概略値を認識することができるが、物理量の正確な値を知る点では、デジタルメータより劣っている。一方、デジタルメータは、物理量を数字で表示するため、物理量の正確な値を容易に知ることできるが、物理量の変動状況や物理量の概略値を認識する点では、アナログメータより劣っている。
【０００３】
アナログメータとデジタルメータを組み合わせて、両方の利点を得ることが可能な車両用の表示装置が開示されている（特許文献１を参照）。具体的に、指針による表示と、指針が指示する数値による表示とを並べて、当該自動車の車速を表示する表示装置が、実施例で開示されている。
【特許文献１】特開平５−１１３３４９号公報
【発明の開示】
【発明が解決しようとする課題】
【０００４】
しかし、上述の例では、指針による表示と、指針が指示する数値の表示とを、単純に並べて行っているのみであるため、両方の利点を得るためには、両方の表示を個別に見る必要がある。
【０００５】
本発明は、このような事情を考慮してなされたものであり、指針による表示と、指針が指示する数値の表示を同時に認識可能な表示装置を提供することを目的とする。
【課題を解決するための手段】
【０００６】
本発明は上記目的を達成する為、以下の技術的手段を採用する。
【０００７】
請求項１に記載の表示装置は、筐体と、筐体に対して回動可能な指針と、指針の回転軸上において指針より目視側で筐体に対して固定され、指針が指示する数値を表す数値像を表示する表示手段と、回転軸上において指針より目視側で回転軸周りに指針と同一速度で回動し、指針の先端側へ指向されて数値像の光を先端側へ反射する第１反射面と、第１反射面からの反射光を、目視側に反射して、数値像を虚像として表示させる第２反射面とを備える。
【０００８】
この構成では、指針と同軸且つ同一速度で回動する第１反射面と、表示手段とを、指針の回転軸上に配置する。このため、第１反射面は、表示手段から数値像の光を、指針の回転軸上で受けて反射することができる。したがって、指針の回動位置にかかわらず、即ち、第１反射面の回動位置にかかわらず、第１反射面は、数値像の光を反射できる。
【０００９】
また、この構成では、第１反射面が、指針の先端側へ指向されて数値像の光を指針の先端側へ反射する。このため、第１反射面は、指針の回動位置にかかわらず、指針が指示している方向へ、数値像の光を反射できる。また、この構成では、指針が指示している方向へ第１反射面が反射した光を、第２反射面が、目視側に反射する。このため、指針の回動に追従して回動する虚像として、数値像を表示できる。
【００１０】
したがって、回動する指針と、指針の回動に追従して回動する虚像を同時に認識することができる。即ち、指針による表示と、指針が指示する数値の表示を同時に認識可能な表示装置を提供できる。
【００１１】
請求項２に記載の表示装置は、第２反射面が、回転軸周りに指針と同一速度で回動可能であって、第１反射面側へ指向されていることを特徴とする。これにより、指針の回動位置にかかわらず、第１反射面と第２反射面の配置関係が変化しないで、第２反射面は、指針が指示している方向において第１反射面の反射光を受けて反射することができる。したがって、第２反射面は、指針の回動位置にかかわらず、第１反射面からの反射光を反射して、数値像を虚像として表示できる。
【００１２】
請求項３に記載の表示装置は、表示手段が、指針と第１反射面の間に配置され、第１反射面と第２反射面が、互いに平行な配置関係で配置されていることを特徴とする。これにより、第２反射面は、指針の回転軸上で第１反射面が受けた数値像の光を、回転軸と平行な目視側に反射して、虚像として数値像を表示できる。
【００１３】
請求項４に記載の表示装置は、表示手段が、第１反射面より目視側に配置され、第１反射面と第２反射面は、互いに垂直な配置関係で配置されていることを特徴とする。これにより、第２反射面は、指針の回転軸上で第１反射面が受けた数値像の光を、回転軸と平行な目視側に反射して、虚像として数値像を表示できる。
【００１４】
請求項５に記載の表示装置は、第２反射面が、筐体に対して固定され、回転軸を中心とし、指針が回動可能な角度範囲を包含する円弧状であって、回転軸側へ指向された帯状の反射面であることを特徴とする。これにより、指針の回動位置にかかわらず、指針が指示している方向において第１反射面と第２反射面の配置関係が変化しない。このため、第２反射面は、指針が指示している方向において第１反射面の反射光を受けて反射することができる。したがって、第２反射面は、指針の回動位置にかかわらず、第１反射面からの反射光を反射して、数値像を虚像として表示できる。
【００１５】
請求項６に記載の表示装置は、表示手段が、指針と第１反射面の間に配置され、指針の中心線と回転軸とからなる平面と第１反射面とが交差する第１交差線と、平面と第２反射面とが交差する第２交差線とが、互いに平行な配置関係で配置されていることを特徴とする。これにより、第２反射面は、指針の回転軸上で第１反射面が受けた数値像の光を、回転軸と平行な目視側に反射して、虚像として数値像を表示できる。
【００１６】
請求項７に記載の表示装置は、表示手段が、第１反射面より目視側に配置され、指針の中心線と回転軸とからなる平面と第１反射面とが交差する第１交差線と、平面と第２反射面とが交差する第２交差線とが、互いに垂直な配置関係で配置されていることを特徴とする。これにより、第２反射面は、指針の回転軸上で第１反射面が受けた数値像の光を、回転軸と平行な目視側に反射して、虚像として数値像を表示できる。
【発明を実施するための最良の形態】
【００１７】
以下、本発明による表示装置を、自動車に搭載される速度計に適用した場合を例に図面に基づいて説明する。
【００１８】
（構成）
表示装置である速度計１は、運転席前方に配置され、図１に示すように、回動する指針３と、目盛２１が形成された文字盤２と、指針３が指示する数値を表す数値像４１（図２）の虚像６１Ａとによって、自車両の車速を表示する。虚像６１Ａは、指針３と同軸且つ同一速度で回動する第２反射鏡６（図２）の第２反射面６１内で、指針３と重なる位置で表示される。指針３が回動すると、虚像６１Ａは、指針の回動に追従して回動し、指針３が指示する数値を表示する。
【００１９】
指針は、回動位置Ｒ１、Ｒ２，Ｒ３を回動可能な角度範囲とし、例えば、指針３が回動位置Ｒ１を指示する場合、即ち、指針３が指示する数値の「００」の虚像６１Ａが、回動位置Ｒ１で表示される。一方、指針３が回動位置Ｒ３を指示する場合、即ち、指針３が指示する数値の「１８０」の虚像６１Ａが、回動位置Ｒ３で表示される。また、指針３が回動位置Ｒ２を指示する場合、即ち、指針３が指示する数値の「８２」の虚像６１Ａが、回動位置Ｒ２で表示される。尚、指針３の回転中心側であって指針の目視側は、黒色の化粧部材１３によって覆われる。
【００２０】
目盛２１は、透光状態になるように、目盛２１の背景部分が例えば黒色の不透光状態になるように、透光性樹脂からなる文字盤２に印刷等により形成される。目盛２１を透過照明する発光ダイオード９１は、図２に示すように、文字盤２の背後に配置され、発光ダイオード９１の発した光は、光路Ｐ１に従って、目盛２１を透過照明し、目盛２１を黒色を背景として例えば白色で発光表示させる。
【００２１】
指針３は、発光ダイオード９２の発した光を、光路Ｐ２に従って、回転中心側より導入して例えば赤色で発光表示するように構成され、ムーブメント３１によって回動する。ムーブメント３１は、ステッピングモータ、あるいは交差コイル式回転機等の電気アクチュエータからなり、外部からの電気信号（本実施形態では自動車の速度信号）に対応した角度だけシャフト３１１を回動させるものである。ムーブメント３１のシャフト３１１に、指針３が固定される。
【００２２】
尚、発光ダイオード９１、９２とムーブメント３１は、プリント基板１１に実装され、発光ダイオード９１、９２の光は、第１ケース１０によって導かれて、それぞれ、目盛２１を透過照明し、指針３を発光表示させる。
【００２３】
速度計１は、指針３に加えて、筐体である第２ケース１４と、表示手段である液晶表示器４と、第１反射面５１と、第２反射面６１とを備える。
【００２４】
液晶表示器４は、指針３の回転軸３１１Ａ上において指針３より目視側（図２において左側）で化粧部材１３に固定され、指針３が指示する数値を表す数値像４１を表示するように構成される。
【００２５】
第１平面鏡５の第１反射面５１は、回転軸３１１Ａ上において液晶表示器４より目視側で回転軸３１１Ａ周りに指針３と同一速度で回動し、指針３の先端側へ指向されて数値像４１の光を、光路Ｐ３に従って、指針３の先端側へ反射する。この反射により、数値像４１の虚像５１Ａが、第１反射面５１を対称面として、数値像４１と面対称の位置に生じる。
【００２６】
第１反射面５１が、回転軸３１１Ａ上において液晶表示器４より目視側で回転軸３１１Ａ周りに指針３と同一速度で回動し、指針３の先端側へ指向されて数値像４１の光を、光路Ｐ３に従って、指針３の先端側へ反射できる位置に、第１平面鏡５は、支持部５２を介して指針３に固定される。
【００２７】
第２平面鏡６の第２反射面６１は、回転軸３１１Ａ周りに指針３と同一速度で回動可能であって、第１反射面５１側へ指向され、第１反射面５１からの反射光を、光路Ｐ３に従って、目視側に反射して、数値像４１を虚像６１Ａとして表示させる。虚像６１Ａは、第２反射面６１を対称面として、虚像５１Ａと面対称の位置に生じる。
【００２８】
第２反射面６１が、回転軸３１１Ａ周りに指針３と同一速度で回動可能であって、第１反射面５１側へ指向され、第１反射面５１からの反射光を、光路Ｐ３に従って、目視側に反射して、数値像４１を虚像６１Ａとして表示させる位置に、第２平面鏡６は、支持部５２を介して指針３に固定される。また、第１反射面５１と第２反射面６１が、互いに平行な配置関係で配置されるように、第１平面鏡５と第２平面鏡６は、支持部５２を介して指針３に固定される。
【００２９】
尚、支持部５２は、数値像４１の光が第１反射面５１へ透過可能に形成される。具体的に、支持部５２を透明なアクリル樹脂等から形成するか、または、数値像４１の光が第１反射面５１へ透過する穴を支持部５２に設ける。
【００３０】
尚、文字盤２と、第１ケース１０と、第１平面鏡５と第２平面鏡６と指針３を回動させるムーブメント３１が固定（実装）されたプリント基板１１と、液晶表示器４が固定された化粧部材１３は、第２ケース１４に固定される。したがって、第１平面鏡５と第２平面鏡６と指針３は、筐体である第２ケース１４に対して回動可能であり、液晶表示器４は、筐体である第２ケース１４に対して固定されているといえる。
【００３１】
次に、速度計１の電気回路構成について、図３に基づいて説明する。マイクロコンピュータ等から構成される制御装置１２には、当該自動車の車速を検出する車速センサ１５が検出信号を入力可能に接続され、車速センサ１５からの検出信号に応じて制御装置１２によって駆動される液晶表示器４やムーブメント３１や、発光ダイオード９１，９２が、制御装置１２に接続される。
【００３２】
（作動）
図示しないイグニッションスイッチがオンされると、図３において、制御装置１２は、それを検出して作動を開始する。即ち、制御装置１２は、速度センサ１５からの信号に基づき、車速を算出し、車速に対応した角度だけシャフト３１１を回動させるように、ムーブメント３１を制御し、車速を表す数値像４１を液晶表示器４に表示させる。この時、制御装置１２は、発光ダイオード９１，９２を点燈させる。
【００３３】
点燈した発光ダイオード９１、９２の発した光は、図２において、光路Ｐ１、Ｐ２に従って、目盛２１を透過照明し、指針３を発光表示させる。これにより、図１において、目盛２１と指針３が発光表示する。
【００３４】
一方、液晶表示器４の数値像４１の光は、図２において、光路Ｐ３に従って、支持部５２を透過し、第１反射面５１によって、指針３の先端側へ反射する。ここで、上述したように、指針３と同軸且つ同一速度で回動する第１反射面５１と、液晶表示器４とを、指針３の回転軸３１１Ａ上に配置するため、第１反射面５１は、回転軸３１１Ａ上で液晶表示器４から数値像４１の光を受けて反射することができる。
【００３５】
したがって、指針３の回動位置にかかわらず、即ち、第１反射面５１の回動位置にかかわらず、第１反射面５１は、数値像４１の光を反射できる。また、第１反射面５１が、指針３の先端側へ指向されて数値像４１の光を指針３の先端側へ反射する。このため、第１反射面５１は、指針３の回動位置にかかわらず、指針３が指示している方向へ、数値像４１の光を反射できる。
【００３６】
次に、第１反射面５１からの反射光が、光路Ｐ３に従って、第２反射面６１によって、目視側に反射して、数値像４１を虚像６１Ａとして表示させる。ここで、上述したように、第２反射面６１は、回転軸３１１Ａ周りに指針３と同一速度で回動可能であって、第１反射面５１側へ指向されている。これにより、指針３の回動位置にかかわらず、第１反射面５１と第２反射面６１の配置関係が変化しないで、第２反射面６１は、指針３が指示している方向において第１反射面５１の反射光を受けて反射することができる。
【００３７】
また、液晶表示器４が、指針３と第１反射面５１の間に配置され、第１反射面５１と第２反射面６１が、互いに平行な配置関係で配置されている。このため、第２反射面６１は、指針３の回転軸３１１Ａ上で第１反射面が受けた数値像４１の光を、指針３の回転軸３１１Ａと平行な方向へ、即ち、目視側へ反射して、虚像６１Ａとして数値像４１を表示できる。
【００３８】
これらの結果、指針３が指示している方向へ第１反射面５１が反射した光を、第２反射面６１が、目視側に反射する。このため、指針３の回動に追従して回動する虚像６１Ａとして、数値像４１を表示できる。
【００３９】
例えば、車速が「８２ｋｍ/ｈ」の場合、指針３は、図１において回動位置Ｒ２を指示し、液晶表示器４は、指針３が指示する数値を表す数値像４１、即ち、「８２」の数値像４１を表示する。この数値像４１の虚像６１Ａが、即ち、「８２」の虚像６１Ａが、指針３と重なる位置で表示される。
【００４０】
車速が「０ｋｍ/ｈ」の場合、指針３は、図１において回動位置Ｒ１を指示し、液晶表示器４は、指針３が指示する数値を表す数値像４１、即ち、「００」の数値像４１を表示する。この数値像４１の虚像６１Ａが、即ち、「００」の虚像６１Ａが、指針３と重なる位置で表示される。
【００４１】
車速が「１８０ｋｍ/ｈ」の場合、指針３は、図１において回動位置Ｒ３を指示し、液晶表示器４は、指針３が指示する数値を表す数値像４１、即ち、「１８０」の数値像４１を表示する。この数値像４１の虚像６１Ａが、即ち、「１８０」の虚像６１Ａが、指針３と重なる位置で表示される。
【００４２】
したがって、回動する指針３と、指針３の回動に追従して回動する虚像６１Ａを同時に認識することができる。即ち、指針３による表示と、指針３が指示する数値の表示を同時に認識することができる。
【００４３】
また、液晶表示器４が第２ケース１４に対して固定されて回転しないため、図１に示すように、指針３の回動位置にかかわらず、虚像６１Ａは、上下左右に反転したり、虚像６１Ａ自身が回転することがない。
【００４４】
以上説明した本発明の一実施形態による表示装置である速度計１は、筐体である第２ケース１４と、第２ケース１４に対して回動可能な指針３と、指針３の回転軸３１１Ａ上において指針３より目視側で第２ケース１４に対して固定され、指針３が指示する数値を表す数値像４１を表示する表示手段である液晶表示器４と、回転軸３１１Ａ上において指針３より目視側で回転軸３１１Ａ周りに指針３と同一速度で回動し、指針３の先端側へ指向されて数値像４１の光を先端側へ反射する第１反射面５１と、第１反射面５１からの反射光を、目視側に反射して、数値像４１を虚像６１Ａとして表示させる第２反射面６１とを備える。
【００４５】
これにより、指針による表示と、指針が指示する数値の表示を同時に認識可能な表示装置を提供できる。
【００４６】
（変形例）
上述の例では、図２において、第１反射面５１と第２反射面６１の回転軸３１１Ａに対する各傾斜角度を４５度で示しているが、これに限らない。例えば、第１反射面５１と第２反射面６１の回転軸３１１Ａに対する各傾斜角度を３０度にすることも可能である。この場合、第１反射面５１からの反射光は、目視側に傾斜するため、これに応じて第２反射面６１を図２の配置に対して目視側へ配置する。これにより、第２反射面６１の反射光は、回転軸３１１Ａと平行となり、第２反射面６１は、第１反射面５１の反射光を目視側へ反射することができる。このため、上述の効果を得ることができる。
【００４７】
したがって、第１反射面５１と第２反射面６１が、互いに平行な配置関係で配置されている限りにおいて、第１反射面５１と第２反射面６１の回転軸３１１Ａに対する各傾斜角度は、限定されない。
【００４８】
上述の例では、液晶表示器４が、指針３と第１反射面５１の間に配置され、第１反射面５１と第２反射面６１が、互いに平行な配置関係で配置されたが、これに限らない。図４に示すように、液晶表示器４を、第１平面鏡５０の第１反射面５０１より目視側に配置し、第１反射面５０１と第２反射面６０１を、互いに垂直な配置関係で配置することも可能である。液晶表示器４を、第１反射面５０１より目視側に配置し、第１反射面５０１と第２反射面６０１を、互いに垂直な配置関係で配置するように、液晶表示器４を、化粧部材１３に固定し、第１平面鏡５０と第２平面鏡６０を、支持部５３を介して指針３に固定する。
【００４９】
液晶表示器４が表示した数値像４２の光は、光路Ｐ３１に従って、第１反射面５０１によって指針３の先端側へ反射する。この反射により、数値像４２の虚像５０１Ａが、第１反射面５０１を対称面として、数値像４２と面対称の位置に生じる。また、第１反射面５０１からの反射光は、光路Ｐ３１に従って、第２反射面６０１によって目視側に反射して、数値像４２を虚像６０１Ａとして表示する。虚像６０１Ａが、第２反射面６０１を対称面として、虚像５０１Ａと面対称の位置に生じる。
【００５０】
したがって、図２で示した上述の例と異なり、虚像６０１Ａは、数値像４２に対して上下方向に反転するため、液晶表示器４は、数値像４２を上下方向に反転させて表示する。
【００５１】
以上のように、本変形例においても、第２反射面６０１は、第１反射面５０１からの反射光を、指針３の回転軸３１１Ａと平行な方向へ、即ち、目視側へ反射して、虚像６０１Ａとして数値像４２を表示できる。これにより、上述と同様の効果を得ることができる。
【００５２】
尚、図４において、第１反射面５０１と第２反射面６０１の回転軸３１１Ａに対する各傾斜角度を４５度で示しているが、これに限らない。第１反射面５０１と第２反射面６０１が、互いに垂直な配置関係で配置されている限りにおいて、第１反射面５０１と第２反射面６０１の回転軸３１１Ａに対する各傾斜角度は、限定されない。
【００５３】
上述の例では、第２反射面６１を、指針３の回転軸３１１Ａ周りに指針３と同一速度で回動させ、第１反射面５１側へ指向させたが、これに限らない。図５と図６に示すように、第２反射面８１を、筐体である第２ケース１４に対して固定し、指針３の回転軸３１１Ａを中心とし、指針３が回動可能な角度範囲を包含する円弧状であって、回転軸３１１Ａ側へ指向された帯状の反射面とすることが可能である。
【００５４】
具体的に、凹面鏡８を、ポリカーボネート樹脂等の透光性樹脂板から、円錐台状の器から底面を取り除いた形状で形成し、この形状の母材の目視側前面の全面に、ハーフミラー層を第２反射面８１として形成する。第２反射面８１が、指針３の回転軸３１１Ａを中心とする円弧状であって、回転軸３１１Ａ側へ指向された帯状の反射面となる位置で、凹面鏡８を、第２ケース１４に対して固定する。ハーフミラー層は、光透過性と光反射性を有するように膜厚を調整した、例えばアルミニウム薄膜をメッキや蒸着等で形成される。
【００５５】
これにより、第２反射面８１を、指針３の回転軸３１１Ａを中心とし、指針３が回動可能な角度範囲である図５において目盛２１が形成されている角度範囲を包含する円弧状であって、回転軸３１１Ａ側へ指向された帯状の反射面とすることが可能である。
【００５６】
また、液晶表示器４を、第１反射面７１より目視側に配置し、指針３の中心線と指針３の回転軸３１１Ａとからなる平面と第１反射面７１とが交差する第１交差線７１Ｂと、この平面と第２反射面８１とが交差する第２交差線８１Ｂとを、互いに垂直な配置関係で配置する。尚、指針３の中心線は、図５において指針３上のＶＩ−ＶＩ線が対応し、第１交差線７１Ｂと第２交差線８１Ｂは、図６において、それぞれ各符号７１Ｂ，８１Ｂが付された線に対応する。図６において、符号７１，７１Ｂは、同じ線に付されているが、符号７１は、第１反射面７１の断面に対して付されているのに対して、符号７１Ｂは、第１交差線７１Ｂ自身に付されている。図６において、符号８１，８１Ｂの関係も同様である。
【００５７】
尚、本変形例では、凹面鏡８が指針３の回転方向に湾曲しているため、後述する虚像８１Ａが歪まないように、平面鏡５の代わりに指針３の先端側へ凸状の凸面鏡７を用いて、凹面鏡８によるひずみを補正するようにしている。また、液晶表示器４を、第１反射面７１より目視側に配置し、第１交差線７１Ｂと第２交差線８１Ｂとを、互いに垂直な配置関係で配置する位置で、凸面鏡７を、支持部５４を介して指針３に固定し、凹面鏡８を、第２ケース１４に対して固定する。
【００５８】
液晶表示器４が表示した数値像４２の光は、光路Ｐ３２に従って、第１反射面７１によって指針３の先端側へ反射し、この反射により、数値像４２の虚像７１Ａが、第１反射面７１を対称面として、数値像４２と面対称の位置に生じる。また、第１反射面７１からの反射光は、光路Ｐ３２に従って、第２反射面８１によって目視側に反射して、数値像４２を虚像８１Ａとして表示する。虚像８１Ａが、第２反射面８１を対称面として、虚像７１Ａと面対称の位置に生じる。
【００５９】
したがって、図２で示した上述の例と異なり、虚像８１Ａは、数値像４２に対して上下方向に反転するため、液晶表示器４は、数値像４２を上下方向に反転させて表示する。
【００６０】
また、点燈した発光ダイオード９１、９２の発した光は、図６において、光路Ｐ１、Ｐ２に従って、目盛２１を透過照明し、指針３を発光表示させる。これらの光が、ハーフミラー層である第２反射面８１を含む凹面鏡８を透過して、図５において、目盛２１と指針３が発光表示する。光路Ｐ１、Ｐ２、Ｐ３２が互いに近接しているため、指針３と目盛２１と虚像８１Ａは、互いに重なって表示される。
【００６１】
上述したように、第２反射面８１は、第２ケース１４に対して固定され、回転軸３１１Ａを中心とし、指針３が回動可能な角度範囲を包含する円弧状であって、回転軸３１１Ａ側へ指向された帯状の反射面である。このため、指針３の回動位置にかかわらず、指針３が指示している方向において第１反射面７１と第２反射面８１の配置関係が変化しない。このため、第２反射面８１は、指針３が指示している方向において第１反射面７１の反射光を受けて反射することができる。したがって、第２反射面８１は、指針３の回動位置にかかわらず、第１反射面からの反射光を反射して、数値像４２を虚像８１Ａとして表示できる。
【００６２】
また、上述したように、液晶表示器４が、第１反射面７１より目視側に配置され、第１交差線７１Ｂと第２交差線８１Ｂとが、互いに垂直な配置関係で配置されているため、第２反射面８１は、回転軸３１１Ａ上で第１反射面７１が受けた数値像４２の光を、回転軸３１１Ａと平行な方向へ、即ち、目視側へ反射して、虚像８１Ａとして数値像４２を表示できる。
【００６３】
これらの結果、指針３の回動に追従して回動する虚像８１Ａとして、数値像４２を表示できる。
【００６４】
上述の例では、本発明を車両用の速度計に適用したが、当該車両のエンジン回転数を表示する回転計や、車両用以外の表示装置に適用することも可能である。
【００６５】
また、上述の例に限らず、種々の変形例が考えられる。
【図面の簡単な説明】
【００６６】
【図１】図１は、本発明の一実施形態による表示装置である速度計１の正面図である。
【図２】図２は、図１中のＩＩ−ＩＩ線断面図である。
【図３】図３は、本発明の一実施形態による表示装置である速度計１の電気回路構成を説明する回路構成図である。
【図４】図４は、図２の変形例を示す断面図である。
【図５】図５は、図１の変形例を示す正面図である。
【図６】図６は、図５中のＶＩ−ＶＩ線断面図である。
【符号の説明】
【００６７】
１  速度計（表示装置）、２  文字盤、２１  目盛、３  指針、３１  ムーブメント
３１１  シャフト、３１１Ａ  回転軸、４  液晶表示器（表示手段）
４１、４２  数値像、５，５０  第１平面鏡、５１，５０１  第１反射面
５１Ａ、５０１Ａ  第１虚像、５２−５４  支持部、６，６０  第２平面鏡
６１，６０１  第２反射面、６１Ａ、６０１Ａ  第２虚像、７  凸面鏡
７１  第１反射面、７１Ａ  第１虚像、７１Ｂ  第１交差線、８  凹面鏡
８１  第２反射面、８１Ａ  第２虚像、８１Ｂ  第２交差線
９１、９２  発光ダイオード、１０  第１ケース、１１  プリント基板
１２  制御装置、１３  化粧部材、１４  第２ケース（筐体）、１５  速度センサ
Ｐ１，Ｐ２、Ｐ３，Ｐ３１，Ｐ３２  光路
【図１】
2009047549.tif 000003
【図２】
2009047549.tif 000004
【図３】
2009047549.tif 000005
【図４】
2009047549.tif 000006
【図５】
2009047549.tif 000007
【図６】
2009047549.tif 000008